(57)【要約】【課題】建物のデザイン性に優れ、かつ、構造強度の向上を図ることができる三階建て建物を提供すること。【解決手段】パネル工法による三階建ての建物Ｔであって、１階から３階に連続する複数の長尺外壁１と、その長尺外壁１の端部２に設けられた角柱部３とを備え、その角柱部３は、長尺外壁１の厚さよりも大径に形成されている。また、１階から２階に連続する連続外壁４が設けられ、その連続外壁４の端部２ｂに角柱部３ｂが設けられている。さらに、長尺外壁１の角柱部３と、連続外壁４の角柱部３ｂとが住宅Ｔの正面側に突出して配置されている。【選択図】      図１
2004346526.tif 000002
【特許請求の範囲】
【請求項１】
パネル工法による三階建ての建物であって、１階から３階に連続する長尺外壁と、その長尺外壁の端部に設けられた角柱部とを備え、その角柱部は、前記長尺外壁の厚さよりも大径に形成されていることを特徴とする三階建て建物。
【請求項２】
請求項１記載の三階建て建物において、前記長尺外壁が複数設けられ、各長尺外壁の端部に前記角柱部がそれぞれ設けられていることを特徴とする三階建て建物。
【請求項３】
請求項１または２記載の三階建て建物において、１階から２階に連続する連続外壁が設けられ、その連続外壁の端部に前記角柱部が設けられていることを特徴とする三階建て建物。
【請求項４】
請求項１〜３の何れかに記載の三階建て建物において、前記長尺外壁の角柱部と、前記連続外壁の角柱部とが建物本体の正面側に配置されていることを特徴とする三階建て建物。
【請求項５】
請求項１〜４の何れかに記載の三階建て建物において、前記角柱部が四角柱状であることを特徴とする三階建て建物。
【請求項６】
請求項５記載の三階建て建物において、前記長尺外壁または前記連続外壁の表面と、前記角柱部の一つの表面とが面一に形成されていることを特徴とする三階建て建物。
【請求項７】
請求項５記載の三階建て建物において、前記長尺外壁または前記連続外壁の一部が、前記角柱部の一つの側壁を兼ねていることを特徴とする三階建て建物。
【請求項８】
請求項１〜７の何れかに記載の三階建て建物において、前記角柱部が前記建物本体から突出していることを特徴とする三階建て建物。
【発明の詳細な説明】
【０００１】
【発明の属する技術分野】
本発明は、パネル工法による三階建て建物に関し、特に、外壁の構造強度を確保しつつ、デザイン性にも優れた建物の技術に関する。
【０００２】
【背景技術】
【０００３】
近年、住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている（例えば、特許文献１参照。）。このパネル工法では、床パネルおよび天井パネル，壁パネル等の各パネル材を面接合により組み立てられているため、外力が接合部などに集中しにくい構造となっており、構造耐力に優れた構造となっている。
【０００４】
このようなパネル工法における壁部の構築において外壁部を形成する壁パネルは建築物の桁側の部分及び妻側の部分から成り、それらは建築物の角部で結合されている。また、建築物内に仕切り壁が設けられる場合には、桁側の壁部を構成する壁パネルあるいは妻側の壁部を構成する壁パネルと、仕切り壁を構成する壁パネルとがそれぞれ所定箇所で連結されることとなる。
【０００５】
【特許文献１】
特開平７−３１０３６３
【０００６】
【発明が解決しようとする課題】
しかしながら、上述したパネル工法においては、箱型または平面形状となる箇所の施工を行う際は、比較的容易に施工を行うことができ、また、構造耐力にも優れていたが、複雑なデザインが要求される箇所、例えば、外壁の一部が面状ではなく線状に突出部が形成されるものなどは、部材の加工および施工作業が頓雑になる恐れがあった。
【０００７】
特に、近年では居住性および機能性等の基本的な要素に加え、住宅そのもののデザイン性にも配慮することが求められており、一般に、住宅の外壁面には、防火性等を有する板状の外装仕上げ材（サイディング）が取り付けられる場合が多い。この外装仕上げ材は、住宅の外壁面に取り付けられ、住宅の外観を決める重要な要素の一つとなっている。したがって、美観的に優れた住宅であることが望ましい。
【０００８】
本発明は、建物のデザイン性に優れ、かつ、構造強度の向上を図ることができる三階建て建物を提供することにある。
【課題を解決するための手段】
【０００９】
パネル工法による三階建ての建物であって、１階から３階に連続する長尺外壁と、その長尺外壁の端部に設けられた角柱部とを備え、その角柱部は、長尺外壁の厚さよりも大径に形成されている構造とした。
【００１０】
このような本発明によれば、デザイン性に優れた建物とすることができる。すなわち、この建物はパネル工法で建築された三階建ての建物であるため、一階または二階建ての建物に比べ、外壁が高く形成されている。通常、パネル工法では外壁パネルをそれぞれ面接合で接合するため、外壁の厚みは均一に形成されることになる。しかし、本発明の三階建て建物によれば、長尺外壁の端部に、長尺外壁の厚さよりも大径に形成された角柱部を設けることにより、外壁の一部分に立体感をもたせ、パネル工法による建物を大径角柱部のある、あるいは鉄骨コンクリート造のように見せることができ、美観に優れ、建物全体を豪華な雰囲気にすることができる。
【００１１】
前記長尺外壁が複数設けられ、各長尺外壁の端部に角柱部がそれぞれ設けられていることが望ましい。このように形成した場合、よりデザイン性の優れた外壁構造とすることができる。すなわち、各長尺外壁の端部に角柱部がそれぞれ設けられているため、建物全体のバランスが良好になる。
【００１２】
１階から２階に連続する連続外壁が設けられ、その連続外壁の端部に角柱部が設けられていることが望ましい。このように形成した場合、連続外壁の美観形成に効果的となり、また、建物全体としての統一感が生まれる。すなわち、１階から２階に連続して形成された連続外壁は、連続外壁の端部に角柱部が設けられているため、連続外壁を立体的に形成することができる。さらに、長尺外壁と同様の形態とすることで、デザイン的に統一された外壁を形成することができる。
【００１３】
前記長尺外壁の角柱部と、連続外壁の角柱部とが建物本体の正面側に配置されていることが望ましい。このように配置した場合、美観形成に優れた建物を形成することができる。すなわち、長尺外壁の角柱部および連続外壁の角柱部を建物本体の正面側に配置することにより、建物の顔となる正面側の見映えを良好にすることができる。
【００１４】
前記角柱部が四角柱状であることが望ましい。このように形成した場合、施工作業を容易にすることができる。すなわち、角柱部は長尺外壁および連続外壁よりも厚く形成されているため、角柱部の形状によっては（例えば、六角柱や八角柱など）施工作業が頓雑になる恐れがあるが、四角柱状にすることで、外壁構造を容易にし、施工作業の簡易化を図ることができる。
【００１５】
前記長尺外壁または連続外壁の表面と、角柱部の一つの表面とが面一に形成されていることが望ましい。このように形成した場合、長尺外壁および連続外壁と角柱部の美観を良好にすることができる。すなわち、長尺外壁および連続外壁と角柱部とが、より一体的に統一された形態となり、デザイン性に優れた外壁構造とすることができる。
【００１６】
前記長尺外壁または連続外壁の一部が、角柱部の一つの側壁を兼ねていることが望ましい。このように形成した場合、構造強度の向上および部材コストの削減を図ることができる。すなわち、長尺外壁および連続外壁の一部は、角柱部の一つの側壁を兼ねているため、一体的に連続した形態とすることで、各外壁構造の強度を向上させることができる。また、このような構造によれば、角柱部の一つの側壁は配置する必要がなくなり、コストメリットに優れた形態とすることができる。
【００１７】
前記角柱部が建物本体から突出していることが望ましい。このように形成した場合、空間を有効利用することができ、また、デザイン性にも良好な建物とすることができる。
【００１８】
すなわち、長尺外壁および連続外壁の端部に設けられた角柱部は、建物本体から突出していることで、建物本体と角柱部との間に空間が形成され、その空間を例えばバルコニー等に利用することができる。また、突出していることで、突出部分に立体的な空間が形成されるため、デザイン性の向上および建物全体に豪華さが生まれる。
【００１９】
【発明の実施の形態】
以下、本発明の実施の形態について、図面を参照して説明する。
図１は住宅の斜視図であり、図２は住宅の１階間取り図であり、図３は角柱部の断面図である。
この実施の形態では、本発明を３階建て住宅に適用した例を示す。
【００２０】
これらの図において、住宅は全体として符号Ｔで示している。この住宅Ｔは壁や床、屋根といった各部材を予め工場にてパネル化しておき、施工現場でこれらのパネルを組み立てることにより、住宅を構築するといったパネル工法により構築された３階建て住宅である。
【００２１】
住宅Ｔの１階にカーポートスペース３０が設けられ、そのカーポートスペース３０の両側には１階から３階まで連続する長尺外壁１がそれぞれ立設されている。各長尺外壁１の端部２は、長尺外壁１の厚さよりも大径に形成された角柱部３がそれぞれ設けられている。角柱部３間には、１階および２階部分に架設された支持梁９と、３階部分に架設された飾り梁１１が設けられている。支持梁９上には手摺パネル１０が立設されており、支持梁９は飾り梁１１よりも梁成が大きく形成されている。また、長尺外壁１および後述する連続外壁４等の外壁は、タイル状に加工されたサイディング材５が貼設されている。
【００２２】
したがって、デザイン性に優れた建物とすることができる。すなわち、この住宅Ｔはパネル工法で建築された３階建ての建物であるため、１階または２階建ての建物に比べ、外壁が高く形成されている。通常、パネル工法では外壁パネルをそれぞれ面接合で接合するため、外壁の厚みは均一に形成されることになる。
【００２３】
しかし、この実施形態によれば、長尺外壁１の端部２に、長尺外壁１の厚さよりも大径に形成された角柱部３を設けることにより、外壁の一部分に立体感をもたせ、パネル住宅を大径角柱部のある、または鉄骨コンクリート造のように構築することができる。角柱部３の大きさと梁成の大きな支持梁９とがデザイン的に調和された構造とすることができ、サイディング材５を貼設することで、美観に優れ、建物全体を豪華な雰囲気にすることができる。
【００２４】
また、正面右側（図１）には１階にポーチ３１および２階にサービスバルコニー３２が突出して配置された共有空間６が設けられている。共有空間６は、１階から２階に連続する連続外壁４が設けられ、その連続外壁４の端部２ｂに角柱部３ｂが設けられている。また、ポーチ３１の上方に支持梁９ｂと、その支持梁９ｂの上部に手摺パネル１０ｂが設けられている。
【００２５】
したがって、連続外壁４の美観形成に効果的となり、また、建物全体としての統一感が生まれる。すなわち、１階から２階に連続して形成された連続外壁４は、連続外壁４の端部２ｂに角柱部３ｂが設けられているため、連続外壁４を立体的に形成することができる。さらに、長尺外壁１と同様の形態とすることで、デザイン的に統一された外壁を形成することができる。また、この長尺外壁１の角柱部３と、連続外壁４の角柱部３ｂは住宅Ｔの正面側に配置されているため、正面側の見映えが良好となっている。
【００２６】
図３（ａ），（ｂ）に、角柱部３（３ｂ）の構造を示す。各角柱部３，３ｂは、複数の側壁７，７ｂ，７ｃ，７ｄからなり、長尺外壁１または連続外壁４と連続して四角柱状に形成されており、内部に空洞Ｋが設けられている。これら各側壁７〜７ｄは内側（カーポートスペース３０側）に向けて所定の厚さで構成されており、表面にサイディング材５が貼設されている。角柱部３，３ｂは四角柱状のほか、六角柱や八角柱状にすることもできるが、四角柱状にすることにより、施工作業を容易にすることができる。すなわち、各角柱部３，３ｂは長尺外壁１および連続外壁４の厚さよりも厚く、連続して形成されているため、角柱部３，３ｂの形状によっては（六角柱や八角柱など）施工作業が頓雑になる恐れがあるが、四角柱状にすることで、部材加工を容易にし、施工作業の簡易化を図ることができる。
【００２７】
また、図３（ｂ）に示すように、長尺外壁１または連続外壁４の表面Ｈ１と、各角柱部３，３ｂの一つの表面Ｈ２は面一に形成されている。したがって、長尺外壁１および連続外壁４と各角柱部３，３ｂの美観を良好にすることができる。すなわち、長尺外壁１および連続外壁４と角柱部３，３ｂとが、より一体的に統一された形態となり、デザイン性に優れた外壁構造とすることができる。
【００２８】
さらに、長尺外壁１または連続外壁４の一部は、各角柱部３，３ｂの一つの側壁７（点線部分）を兼ねて形成されている。したがって、構造強度の向上および部材コストの削減を図ることができる。すなわち、長尺外壁１および連続外壁４の一部は、各角柱部３，３ｂの一つの側壁７を兼ねているため、一体的に連続した形態とすることで、外壁構造の強度を向上させることができる。また、このような構造によれば、各角柱部３，３ｂの一つの側壁７は配置する必要がなくなり、部材コストの削減を図ることができる。
【００２９】
また、長尺外壁１および角柱部３は住宅Ｔから突出して設けられている。したがって、突出部分をカーポートスペース３０等の空間として有効利用することができ、また、デザイン性にも良好な建物とすることができる。すなわち、長尺外壁１の端部に設けられた各角柱部３は、住宅Ｔから突出していることで、住宅Ｔと各角柱部３との間に空間が形成され、その空間を上述したカーポートスペース３０のほか、インナーバルコニー８等に利用することができる。また、このような構造とすることで、突出部分に立体的な空間が形成されるため、デザイン性の向上および建物全体に豪華さが生まれる。
【００３０】
【発明の効果】
以上のように、本発明によれば、建物のデザイン性に優れ、かつ、構造強度の向上を図ることができる。
【図面の簡単な説明】
【図１】本発明の実施形態に係る三階建て住宅の斜視図である。
【図２】本発明の実施の形態に係る三階建て住宅の１階間取り図である。
【図３】本発明の実施の形態に係る角柱部の断面図である。
【符号の説明】
１        長尺外壁
２，２ｂ  端部
３，３ｂ  角柱部
４        連続外壁
５        サイディング材
６        共有空間
７，７ｂ，７ｃ，７ｄ  側壁
８        インナーバルコニー
９，９ｂ  支持梁
１０，１０ｂ  手摺パネル
３０      カーポートスペース
３１      ポーチ
３２      サービスバルコニー
Ｈ１，Ｈ２  表面
Ｋ        空洞
Ｔ          住宅
【図１】
2004346526.tif 000003
【図２】
2004346526.tif 000004
【図３】
2004346526.tif 000005